(57)【特許請求の範囲】
【請求項１】
アジャスタに支持された家具を対をなす固定金具を用いて床に固定するようにしたものであって、
各固定金具は、一端側を床上に直接又は間接に接地し他端側に設けた開口溝にアジャスタの軸部を受け入れつつ該他端側をアジャスタのベース上方位置に配置されるものであり、両固定金具の開口溝の開口方向を互いに異なる方向に配置して開口溝間に閉ざされた軸通過部を形成し、その状態で両固定金具の一端側を床に固定するようにしたものであり、各固定金具が、一端側に位置する底壁と他端側に位置する頂壁との間を起立壁で連結してなるクランク状のものであり、底壁の一部に床固定部を設け、頂壁の一部に開口溝を設け、一方の固定金具の開口溝の開口方向が起立壁に直交する方向であり、他方の固定金具の開口溝の開口方向が起立壁に平行な方向であって、各固定金具を相互に直交する方向にアジャスタに取り付けて、両固定金具の底壁同士、頂壁同士及び起立壁同士を重合させた状態で、底壁に設けた床固定部を共止めし、頂壁に設けた開口溝間に閉ざされた軸通過部を形成するようにしていることを特徴とする家具の床固定装置。
【請求項２】
アジャスタに支持された家具を対をなす固定金具を用いて床に固定するようにしたものであって、
各固定金具は、一端側を床上に直接又は間接に接地し他端側に設けた開口溝にアジャスタの軸部を受け入れつつ該他端側をアジャスタのベース上方位置に配置されるものであり、両固定金具の開口溝の開口方向を互いに異なる方向に配置して開口溝間に閉ざされた軸通過部を形成し、その状態で両固定金具の一端側を床に固定するようにしたものであり、各固定金具が、一端側に位置する底壁と他端側に位置する頂壁との間を起立壁で連結してなるクランク状のものであり、底壁の一部に床固定部を設け、頂壁の一部に開口溝を設け、両固定金具の開口溝の開口方向が起立壁に直交する方向であり、各固定金具を相互に直交する方向にアジャスタに取り付けて、両固定金具の開口溝を直交させて両固定金具の頂壁同士を重合させた状態で、各固定金具の底壁に設けた床固定部をそれぞれ床に直接接地させて固定し、頂壁に設けた開口溝間に閉ざされた軸通過部を形成するようにしていることを特徴とする床固定装置。
【請求項３】
アジャスタに支持された家具を対をなす固定金具を用いて床に固定するようにしたものであって、
一方の固定金具は、一端側を床上に接地し他端側に設けた開口溝にアジャスタの軸部を受入れつつ該他端側をアジャスタのベース上方位置に配置されるものであり、他方の固定金具は、一端側を前記一方の固定金具の一部に突き当てた状態で他端側に設けた開口溝にアジャスタの軸部を受け入れつつ該他端側をアジャスタのベース上方位置に配置されるものであり、両固定金具の開口溝の開口方向を互いに異なる方向に配置して開口溝間に閉ざされた軸通過部を形成し、その状態で一方の固定金具の一端側を床に直接接地させて固定し、他方の固定金具の一端側を前記一方の固定金具に固定するようにしたものであり、一方の固定金具が、一端側に位置する底壁と他端側に位置する頂壁とを起立壁で連結してなるクランク状をなし且つ開口溝の開口方向を起立壁に直交する方向に設定したものであり、他方の固定金具が、前記一方の固定金具の頂壁及び起立壁に重合し得る頂壁及び起立壁を備え且つ開口溝の開口方向を起立壁に平行な方向に設定したものであり、各固定金具を相互に直交する方向にアジャスタに取り付けて、両固定金具の頂壁同士及び起立壁同士を重合した位置で、両固定金具の起立壁同士を連結していることを特徴とする家具の床固定装置。
【請求項４】
前記他方の固定金具が、チャネル状のものであることを特徴とする請求項３記載の家具の床固定装置。
【請求項５】
クランク状若しくはアングル状をなす固定金具の頂壁の縁部に折曲補強片を設けていることを特徴とする請求項１、２又は３記載の床固定装置。
【発明の詳細な説明】
【０００１】
【発明の属する技術分野】
本発明は、ラックを始めとする各種家具に適用して、地震等による位置ずれや転倒を有効に防止できるようにした家具の床固定装置に関するものである。
【０００２】
【従来の技術】
この種の家具における床固定方法として、アジャスタに支持された家具を、アジャスタ回りに配置した固定金具によって固定するようにしたものが知られている。
かかる従来の床固定方法としては、一部にアジャスタの軸部を通過させる軸通過部を備えた固定金具を用意し、この固定金具にアジャスタの軸部を挿通させた状態で固定金具の一部を床に固定するようにしたものや、一部に開口溝を備えた固定金具を用意し、アジャスタを接地した状態で一端側を床上に接地し他端側に設けられた前記開口溝にアジャスタの軸部を受け入れつつ該他端側をアジャスタのベース上方位置に配置して、その位置で一端側を床に固定するようにしたもの等を挙げることができる。
【０００３】
【発明が解決しようとする課題】
ところが、前者の固定金具は、予めその軸通過部にアジャスタの軸部を通しておかなければならない。このため、家具を位置決めした上で固定金具を用いて固定するといった事ができず、固定作業上、極めて不便であるという問題がある。一方、後者の固定金具は、家具を位置決めした後に固定金具を当てがって固定することはできるものの、開口溝の開口端側に向かう方向にアジャスタが移動すると抜けてしまう上に、開口溝の周辺では固定金具が変形し易いため、移動や転倒を的確に抑止する構造としては不十分なものである。
【０００４】
【課題を解決するための手段】
上記の問題点を解消するために、本発明は、開口溝を有する２つの固定金具を用いて固定作業の便と的確な固定状態とを好適に両立させることとしている。
【０００５】
【発明の実施の形態】
そのために、本発明における家具の床固定装置は、アジャスタに支持された家具を対をなす固定金具を用いて床に固定するに際して、各固定金具は、一端側を床上に直接又は間接に接地し他端側に設けた開口溝にアジャスタの軸部を受け入れつつ該他端側をアジャスタのベース上方位置に配置されるものであり、両固定金具の開口溝の開口方向を互いに異なる方向に配置して開口溝間に閉ざされた軸通過部を形成し、その状態で両固定金具の一端側を床に固定するようにしたものであり、各固定金具が、一端側に位置する底壁と他端側に位置する頂壁との間を起立壁で連結してなるクランク状のものであり、底壁の一部に床固定部を設け、頂壁の一部に開口溝を設け、一方の固定金具の開口溝の開口方向が起立壁に直交する方向であり、他方の固定金具の開口溝の開口方向が起立壁に平行な方向であって、各固定金具を相互に直交する方向にアジャスタに取り付けて、両固定金具の底壁同士、頂壁同士及び起立壁同士を重合させた状態で、底壁に設けた床固定部を共止めし、頂壁に設けた開口溝間に閉ざされた軸通過部を形成するようにしていることを特徴とする。
【０００６】
このような構成のものであれば、何れの固定金具も開口溝を有し、この開口溝にアジャスタの軸部を受け入れながらアジャスタのベース上に被る位置に配置することができるので、先に家具の位置決めが行われていても、家具を動かすことなくアジャスタに固定金具を適用することができる。しかも、両固定金具によって閉ざされた軸通過部を形成し、この軸通過部にアジャスタの軸部を閉じ込めることができるので、開口溝の開放端側への抜けを防止することができるだけでなく、互いに脆弱な開口溝の開放端近傍部をより強度のある相手方の開口溝の基端近傍部により補い合うことができるので、全体として強度のある的確な固定状態を実現することが可能となる。
【０００７】
この場合、固定箇所を減らし、家具の底面と床との隙間が狭い場合にも有効に適用できる。
【０００８】
一方、固定箇所は増えるものの、確実に固定強度を高めるためには、アジャスタに支持された家具を対をなす固定金具を用いて床に固定するようにしたものであって、各固定金具は、一端側を床上に直接又は間接に接地し他端側に設けた開口溝にアジャスタの軸部を受け入れつつ該他端側をアジャスタのベース上方位置に配置されるものであり、両固定金具の開口溝の開口方向を互いに異なる方向に配置して開口溝間に閉ざされた軸通過部を形成し、その状態で両固定金具の一端側を床に固定するようにしたものであり、各固定金具が、一端側に位置する底壁と他端側に位置する頂壁との間を起立壁で連結してなるクランク状のものであり、底壁の一部に床固定部を設け、頂壁の一部に開口溝を設け、両固定金具の開口溝の開口方向が起立壁に直交する方向であり、各固定金具を相互に直交する方向にアジャスタに取り付けて、両固定金具の開口溝を直交させて両固定金具の頂壁同士を重合させた状態で、各固定金具の底壁に設けた床固定部をそれぞれ床に直接接地させて固定し、頂壁に設けた開口溝間に閉ざされた軸通過部を形成するようにしているものが挙げられる。
【０００９】
以上とは別の構成であって、同様の目的を達成するためのものとしては、アジャスタに支持された家具を対をなす固定金具を用いて床に固定するようにしたものであって、一方の固定金具が、一端側を床上に接地し他端側に設けた開口溝にアジャスタの軸部を受入れつつ該他端側をアジャスタのベース上方位置に配置されるものであり、他方の固定金具が、一端側を前記一方の固定金具の一部に突き当てた状態で他端側に設けた開口溝にアジャスタの軸部を受け入れつつ該他端側をアジャスタのベース上方位置に配置されるものであり、両固定金具の開口溝の開口方向を互いに異なる方向に配置して開口溝間に閉ざされた軸通過部を形成し、その状態で一方の固定金具の一端側を床に直接接地させて固定し、他方の固定金具の一端側を前記一方の固定金具に固定するようにしたものであり、一方の固定金具が、一端側に位置する底壁と他端側に位置する頂壁とを起立壁で連結してなるクランク状をなし且つ開口溝の開口方向を起立壁に直交する方向に設定したものであり、他方の固定金具が、前記一方の固定金具の頂壁及び起立壁に重合し得る頂壁及び起立壁を備え且つ開口溝の開口方向を起立壁に平行な方向に設定したものであり、各固定金具を相互に直交する方向にアジャスタに取り付けて、両固定金具の頂壁同士及び起立壁同士を重合した位置で、両固定金具の起立壁同士を連結しているものも有効である。
【００１１】
特に、他方の固定金具をチャネル状としておくことが好都合である。
また、クランク状若しくはアングル状をなす固定金具の頂壁の縁部が変形し易くなることを防止するためには、その縁部に折曲補強片を設けておくことが効果的である。
【００１２】
【実施例】
以下、本発明の実施例を、図面を参照して説明する。
＜第１実施例＞
図１に示す床固定装置は、サーバーラック等の家具Ａに適用され、そのベースを支持するアジャスタ１１を床Ｆに対して固定できる位置に配置されるもので、対をなす固定金具２、３から構成されている。
【００１３】
各固定金具２（３）は、板金素材を塑性変形加工することによって、一端側に位置する底壁２１（３１）と他端側に位置する頂壁２２（３２）との間を起立壁２３（３３）で連結したクランク形状にしているもので、底壁２１（３１）を床Ｆ上に接地し、頂壁２２（３２）をアジャスタ１１のベース１１ａの上方位置に配置し得るようにしている。具体的には、頂壁２２は、他端側に開口し起立壁２３に直交する方向に延びる開口溝２２ａを有しているもので、この開口溝２２ａにアジャスタ１１の軸部１１ｂを受け入れつつ該他端側をベース１１ａの上面に略重合する配置に配置した際、底壁２１を床Ｆ上に接地させることができるようにしている。一方、固定金具３は、頂壁３２の側縁側に開口し起立壁３３に平行に延びる開口溝３２ａを有しているもので、この開口溝３２ａにアジャスタ１１の軸部１１ｂを受け入れつつ該他端側を先に配置した固定金具２の頂壁２２の上面に重合させて配置した際に、底壁３１を固定金具２の底壁２１を介して間接的に床Ｆ上に接地させることができるようにしている。開口溝２２ａ、３２ａは、頂板２２、３２の中央に開口しアジャスタ１１の軸部１１ｂの径にほぼ対応した内径を有する半円状の孔部と、前記内径を溝巾として孔部を頂板２２、３２の縁部に開放する直線状の溝部とから構成される。すなわち、固定金具２をアジャスタ１に取り付ける際に近付ける方向と、固定金具３をアジャスタ１に取り付ける際に近付ける方向とは直交している。そして、固定金具３の頂壁３２を固定金具２の頂壁２２に重合させた際に、底壁３１及び起立壁３３には互いに連続する床固定部たるねじ挿入孔２１ａ、３１ａが設けてあり、これらのねじ挿入孔２１ａ、３１ａにねじｖを挿入して床Ｆに対して固定し、この状態で図２、図３及び図４に示すように開口溝２２ａ、３２ａ間に閉ざされた軸通過部Ｘを形成することができるようにしている。
【００１４】
以上のようにして、本実施例の床固定装置は、何れの固定金具２、３も、その開口溝２２ａ、３２ａにアジャスタ１の軸部１１ｂを受入れながらアジャスタ１のベース１１ａを上方から抑える位置に配置することができ、先に家具の位置決めが行われていても、家具を動かすことなくアジャスタ１の所定位置に固定金具２、３を適合させることができる。したがって、家具に対する固定作業の便を有効に向上させることが可能となる。しかも、両固定金具２、３によって閉ざされた軸通過部Ｘを形成し、この軸通過部Ｘにアジャスタ１の軸部１１ｂを閉じ込めることができるので、開口溝２２ａ、３２ａの開放端側への軸部１１ｂの抜けを防止することができるだけでなく、互いに脆弱な開口溝２２ａ、３２ａの開放端近傍部を重合状態でより強度のある相手方の開口溝２２ａ、３２ａの基端近傍部により補い合うことができるので、全体として強度のある的確な固定状態を実現することが可能となる。
【００１５】
特に、この実施例のものは、各固定金具２、３をクランク状のものにして、底壁２１、３１の一部に床固定部たるねじ挿入孔２１ａ、３１ａを設け、頂壁２２の一部に開口溝２２ａ、３２ａを設けているだけであるため、構造簡素で操作容易なだけでなく、アジャスタ１に対する抑えと床Ｆへの固定機能とをアジャスタ１と干渉することなく的確に実現することができる。
【００１６】
この場合、両固定金具２、３の底壁２１、３１同士、頂壁２２、３２同士及び起立壁２３、３３同士を重合させ、底壁２１、３１に設けたねじ挿入孔２１ａ、３１ａを共止めした状態で、頂壁２２、３２に設けた開口溝２２ａ、３２ａの方向を直交させて、それら開口溝２２ａ、３２ａ間に閉ざされた軸通過部Ｘを形成するようにしているため、ねじ止め箇所が共通して作業効率が向上することとなり、また図５に示すように家具Ａの底面ａと床Ｆとの隙間δが狭く且つ家具Ａ同士を横方向に隣接配置した際の中央部分のアジャスタ１１（図５中矢印Ａ１部分）のように前方にしか作業空間がないようなケースでも、底壁２１、３１をその前方に位置づけることによってねじ挿入孔２１ａ、３１ａに対しねじ止め作業を有効に行うことができる。
【００１７】
なお、図６に示すように、他方の固定金具３の頂壁３２の縁部に折曲補強片３２ｂを設けておけば、かかる縁部の変形、ひいては開口溝３２ａの変形を防止して、アジャスタ１１に対する固定状態をより確実なものにすることができる。
＜第２実施例＞
図７及び図８に示す床固定装置は、対をなす固定金具１０２、１０３を備えるが、それらの頂壁１２２、１３２のみを重合させ、底壁１２１、１３１は個々に床Ｆに直接固定するようにしている点で、上記第１実施例と相違するものである。
【００１８】
すなわち、この床固定装置の各固定金具１０２、１０３は、一端側に位置する底壁１２１、１３１を床Ｆ上に接地し他端側に位置する頂壁１２２、１３２に設けた開口溝１２２ａ、１３２ａにアジャスタ１１の軸部１１ｂを受け入れつつ該頂壁１２２、１３２をアジャスタ１１のベース１１ａの上方位置に重合させて配置されるものであり、両固定金具１０２、１０３の開口溝１２２ａ、１３２ａの開口方向を互いに異なる方向に配置して開口溝１２２ａ、１３２ａ間に閉ざされた軸通過部Ｘを形成し、その状態で両固定金具１０２、１０３の底壁１２１、１３１を床Ｆに固定するようにしているものである。
【００１９】
そのために、各固定金具１０２（１０３）は、底壁１２１（１３１）と頂壁１２２（１３２）との間を起立壁１２３（１３３）で連結してなるクランク状をなしており、起立壁１３３の起立高さは起立壁１２３のそれよりも頂壁１２２の厚み分だけ長尺に設定してある。そして、底壁１２１（１３１）の一部に床固定部たるねじ挿入孔１２１ａ（１３１ａ）を設け、頂壁１２２（１３２）の一部に前記開口溝１２２ａ（１３２ａ）を設けている。
【００２０】
両開口溝１２２ａ、１３２ａは、開口方向が共に起立壁１２３、１３３に直交する方向であり、両固定金具１０２、１０３の頂壁１２２、１３２同士を重合させた状態で各固定金具１０２、１０３の底壁１２１、１３１に設けたねじ挿入孔１２１ａ、１３１ａを利用してそれぞれ床Ｆに対し固定し、頂壁１２３、１３３に設けた開口溝１２３ａ、１３３ａ間に閉ざされた軸通過部Ｘを形成するようにしている。
【００２１】
両固定金具１０２、１０３の配置の形態としては、図７及び図８に示すようにアジャスタ１１に９０°異なる方向から接近させてそれらの開口溝１２２ａ、１３２ａを直交させる形態のほか、図９及び図１０に示すようにアジャス１１に１８０°異なる方向から接近させてそれらの開口溝１２２ａ、１３２ａを対向させる形態が挙げられる。
【００２２】
これら図７〜図１０に示すようなものであっても、閉ざされた軸通過部Ｘにおいてアジャスタ１１の軸部１１ｂを有効に支持することができる上に、固定箇所は増えるものの、床Ｆへの足場を増やして固定力を高めることができるため、地震等により確実な家具の固定状態を実現することができる。
その場合の開口溝１２２ａ、１３２ａの方位として、図７及び図８に示すような直交状態を採用した場合には、前後からアジャスタ１１にアクセスできない家具のコーナー部（例えば図５における矢印Ａ２部分）等に適用して有用であり、また、図９及び図１０に示すような対向状態を採用すると、軸通過部Ｘが真円に近い状態になり、固定強度を高めることができると同時に、相互に脆弱となり易い部分を補強し合うのに最も効果的な位置関係として、前後からアジャスタ１１にアクセスできる種々のケースに適用してより固定強度を高める目的に利用することができる。
＜第３実施例＞
図１１及び図１２に示す床固定装置は、対をなす固定金具２０２、２０３を備えるが、一方の固定金具２０２を床Ｆに固定した後、他方の固定金具２０３をその一方の固定金具２０２に固定するようにしている点で、上記第１、第２実施例と相違するものである。
【００２３】
すなわち、この床固定装置の一方の固定金具２０２は、一端側に位置する底壁２２１を床Ｆ上に接地し他端側に位置する頂壁２２２に設けた開口溝２２２ａにアジャスタ１１の軸部１１ｂを受入れつつ該頂壁２２２をアジャスタ１１のベース１１ａの上方位置に配置されるものであり、また他方の固定金具２０３は、一端側に位置する起立壁２３３を前記一方の固定金具２０２の起立壁２２３に突き当てた状態で頂壁２３２に設けた開口溝２３２ａにアジャスタ１１の軸部１１ｂを受け入れつつ該頂壁２３２をアジャスタ１１のベース上方位置であって前記一方の固定金具２０２の頂壁２２２に重合する位置に配置されるものであり、両固定金具２０２、２０３の開口溝２２２ａ、２３２ａの開口方向を互いに異なる方向に配置して開口溝２２２ａ、２３２ａ間に閉ざされた軸通過部Ｘを形成し、その状態で一方の固定金具２０２の底壁２２１を床Ｆに対して固定し、他方の固定金具２０３の起立壁２３３を前記一方の固定金具２０２の起立壁２２３に固定するようにしている。
【００２４】
そのために、一方の固定金具２０２は、底壁２２１と頂壁２２２とを起立壁２２３で連結してなるクランク状のものにしてあり、他方の固定金具２０３は、前記一方の固定金具２０２の頂壁２２２及び起立壁２２３に重合し得る頂壁２３２及び起立壁２３３を備えたチャネル状のものにしてあり、それらの重合位置で、両固定金具の起立壁２２３、２３３同士をそれらに設けた固定部たるねじ挿入孔２２３ａ、２３３ａを利用して相互に連結するようにしている。
【００２５】
開口溝２２２ａ、２３２ａの方位は、前者の開口方向が起立壁２２３に直交する方向であり、後者の開口方向が起立壁２３３に平行な方向に設定してある。
このような構成であっても、開口溝２２２ａ、２３２ａ間に閉ざされる軸通過部Ｘによってアジャスタ１１の軸部１１ｂを確実に挟み付けて支持することができ、家具の横方向の位置ずれや転倒を有効に防止することができる。
【００２６】
しかも、固定金具２０２、２０３自体はクランク状、チャネル状といった極めて簡素な構造のもので済み、また床Ｆへの直接的な固定箇所は少なくて済むためやはり固定作業の簡素化を図ることが可能となる。
なお、この実施例において他方の固定金具２０３はチャネル状のものにしてあるが、強度に支障がなければアングル状のもの等にしておくこともできる。
【００２７】
以上、本発明の幾つかの実施例について説明したが、各部の具体的な構成等は、上述した実施例以外にも、本発明の趣旨を逸脱しない範囲で種々変形が可能である。また、図面では便宜上、固定金具が角張らしてあるが、これらは実際には板金素材を折り曲げ加工して作られているものである。
【００２８】
【発明の効果】
本発明は、以上説明したような形態で実施され、以下に記載される効果を奏する。
すなわち、本発明に係る家具の床固定装置は、一端側を床上に直接又は間接に接地し他端側に設けた開口溝にアジャスタの軸部を受け入れつつ該他端側をアジャスタのベース上方位置に配置されるように構成した一対の固定金具を用い、両固定金具の開口溝の開口方向を互いに異なる方向に配置して開口溝間に閉ざされた軸通過部を形成し、その状態で両固定金具の一端側を床に固定するようにしたものであり、各固定金具が、一端側に位置する底壁と他端側に位置する頂壁との間を起立壁で連結してなるクランク状のものであり、底壁の一部に床固定部を設け、頂壁の一部に開口溝を設け、一方の固定金具の開口溝の開口方向が起立壁に直交する方向であり、他方の固定金具の開口溝の開口方向が起立壁に平行な方向であって、各固定金具を相互に直交する方向にアジャスタに取り付けて、両固定金具の底壁同士、頂壁同士及び起立壁同士を重合させた状態で、底壁に設けた床固定部を共止めし、頂壁に設けた開口溝間に閉ざされた軸通過部を形成するようにしたものである。
【００２９】
このため、先に家具の位置決めを行った後、家具を動かすことなく開口溝を利用してアジャスタに固定金具を取り付けることができ、固定作業の便を有効に向上させることができる。しかも、両固定金具によって閉ざされた軸通過部を形成し、この軸通過部によってアジャスタの軸部を包囲することができるので、地震時等に何れの方向に横揺れが生じても開口溝からのアジャスタの抜けを効果的に防止することができ、また重合状態で相互に脆弱となり易い部分を補強し合うため転倒に対する抑止力も増大し、装置全体として家具に強度のある的確な固定状態を実現することが可能となる。
【００３０】
また、構造簡素で操作容易となるだけでなく、アジャスタに対する抑えと床への固定とをアジャスタと干渉することなく的確に行うことが可能となる。
この場合、両固定箇所を同時に固定することにより固定箇所が減って作業効率が向上することとなり、また家具の底面と床との隙間が狭く前方にしか作業空間がないような場合にも、床固定部をその前方に位置づけることによって作業場所を有効に確保することができる。
【００３１】
一方、両固定金具の開口溝の開口方向と起立壁との位置関係を同様の関係に規定しておき、両固定金具の頂壁同士を重合させた状態で、各固定金具の底壁を直接床に接地させてそれらに設けた床固定部をそれぞれ床に直接接地させて固定し、頂壁に設けた開口溝間に閉ざされた軸通過部を形成するようにすれば、固定箇所は増えるものの、床への足場を増やして固定力を確実に高めることができる。
【００３２】
その場合の開口溝の方位として、両固定金具の開口溝を直交させているものが挙げられる。この場合は前後からアジャスタにアクセスできない家具のコーナー部等に適用して有用である。
【００３３】
以上とは別の構成として、一方の固定金具は上記と同様に床に固定するものとし、他方の固定金具の固定先を一方の固定金具としたものであり、各固定金具を相互に直交する方向にアジャスタに取り付け得るように構成した場合にも、上記に準じた作用効果を得ることができる。
この場合、一方の固定金具を上記と同じクランク状のものとし、他方の固定金具を前記一方の固定金具に対して頂壁及び底壁を重合させ得る形態、例えばチャネル状やアングル状等のものとすれば、構造の簡素化を損なうことなく必要な固定機能を実現することができる。
【００３４】
その際の開口溝の方位として、一方の固定金具の開口溝を起立壁に直交する方向とし、他方の固定金具の開口溝を起立壁に平行な方向とすれば、所期の目的を適切に実現することができる。
以上において、クランク状若しくはアングル状をなす固定金具の頂壁の縁部に折曲補強片を設けておけば、かかる縁部の変形を防止して固定状態をより確実なものにすることができる。
【図面の簡単な説明】
【図１】本発明の一実施例を家具に適用する前の状態において示す斜視図。
【図２】同実施例を家具に適用した状態において示す斜視図。
【図３】同平断面図。
【図４】同縦断面図。
【図５】同実施例の好適な適用対象である家具を示す模式的な正面図。
【図６】同実施例の変形例を示す図４に対応した断面図。
【図７】本発明の第２実施例を家具に適用する前の状態において示す斜視図。
【図８】同実施例を家具に適用した状態において示す斜視図。
【図９】同実施例の他の使用の態様を示す図７に対応した斜視図。
【図１０】同図８に対応した斜視図。
【図１１】本発明の第３実施例を家具に適用する前の状態において示す斜視図。
【図１２】同実施例を家具に適用した状態において示す斜視図。
【符号の説明】
Ａ…家具
Ｆ…床
Ｘ…軸通過部
２、３…固定金具
１１…アジャスタ
１１ａ…ベース
１１ｂ…軸部
２１、３１…底壁
２１ａ、３１ａ…床固定部（ねじ挿入孔）
２２、３２…頂壁
２２ａ、３２ａ…開口溝
２３、３３…起立壁
３２ｂ…折曲補強片
１０２、１０３…固定金具
１２１、１３１…底壁
１２１ａ、１３１ａ…床固定部（ねじ挿入孔）
１２２、１３２…頂壁
１２２ａ、１３２ａ…開口溝
１２３、１３３…起立壁
２０２、２０３…固定金具
２２１…底壁
２２２、２３２…頂壁
２２３、２３３…起立壁
２２２ａ、２３２ａ…開口溝
【図１】
0003603707.tif 000002
【図２】
0003603707.tif 000003
【図３】
0003603707.tif 000004
【図４】
0003603707.tif 000005
【図５】
0003603707.tif 000006
【図６】
0003603707.tif 000007
【図７】
0003603707.tif 000008
【図８】
0003603707.tif 000009
【図９】
0003603707.tif 000010
【図１０】
0003603707.tif 000011
【図１１】
0003603707.tif 000012
【図１２】
0003603707.tif 000013